(57)【要約】【課題】製造コストの低減を図りつつ効率よく除電を行うことのできる遊技機を提供する。【解決手段】遊技球が転動流下する遊技領域を備えた遊技盤が取り付けられ、ベース枠に対して開閉可能に取り付けられたベースドア３ａと、ベースドア３ａの裏面に設けられ、接地電位とされた導電性部材５１と、ボス５０−１が裏面に形成され、ベースドア３ａの前面における遊技者が触接可能な位置に取り付けられたプレート５０とを有し、プレート５０は、ボス５０−１がベースドア３ａを貫通して導電性部材５１に当接した状態でベースドア３ａに取り付けられている。【選択図】        図９
2007319300.tif 000002
【特許請求の範囲】
【請求項１】
遊技球が転動流下する遊技領域を備えた遊技盤が取り付けられ、外枠に対して開閉可能に取り付けられた本体枠と、
前記本体枠の裏面に設けられ、接地電位とされた導電性部材と、
突起部が裏面に形成され、前記本体枠の前面における遊技者が触接可能な位置に取り付けられた遊技部品とを有し、
前記遊技部品は、前記突起部が前記本体枠を貫通して前記導電性部材に当接した状態で前記本体枠に取り付けられる、
ことを特徴とする遊技機。
【請求項２】
前記突起部は、当該突起部の突出方向に沿って延びてネジが螺合可能なネジ穴を備え、
前記導電性部材は、前記ネジの胴部が貫通するとともに、前記ネジの頭部が貫通不能なネジ貫通孔を備え、
前記遊技部品は、前記ネジの胴部を前記ネジ貫通孔に貫通させるとともに前記ネジ穴へ螺合することによって前記本体枠に取り付けられる、
ことを特徴とする請求項１記載の遊技機。
【請求項３】
前記導電性部材は、前記本体枠の少なくとも一辺に沿って設けられるとともに複数箇所で前記本体枠に固定された金属製板状体であることを特徴とする請求項１または２記載の遊技機。
【請求項４】
前記遊技部品は、導電性材料によって被覆されていることを特徴とする請求項１〜３の何れか一項に記載の遊技機。
【発明の詳細な説明】
【技術分野】
【０００１】
本発明は遊技機に関し、特に遊技機に帯電した静電気の除電に関するものである。
【背景技術】
【０００２】
パチンコ遊技機などの遊技機では、外枠に対して樹脂製のベースドア（本体枠）が開閉可能に取り付けられている。そして、このベースドアには遊技盤が取り付けられるとともに、その前面には、例えば遊技盤の遊技領域に遊技球を送り込むためのハンドルなど、遊技者により触接される遊技部品が取り付けられている。
【０００３】
このような遊技部品は一般に樹脂により作製されているため、静電気による帯電が起こりやすい。
【０００４】
したがって、遊技部品に遊技者が触れると蓄積した静電気が放電され、放電に伴う電気的ショックにより遊技者に不快感を与えてしまう。
【０００５】
このような静電気を除電する技術として、例えば特許文献１には、窓状に開口したプラスチック成形のミドルプレート部（本体枠）に金属メッキを施してコモンアースとして構成し、各遊技部品をミドルプレート部に取り付ける技術が開示されている。
【特許文献１】特開２０００-１９７７５２号公報
【発明の開示】
【発明が解決しようとする課題】
【０００６】
しかしながら、上記特許文献１に記載の技術では、本体枠という広い面積にわたって金属メッキを施しているので、メッキ材料費やメッキ作業コストがかかってしまい、結果的に製品コストが上がってしまう。
【０００７】
そこで、本発明は、製造コストの低減を図りつつ効率よく除電を行うことのできる遊技機を提供することを目的とする。
【課題を解決するための手段】
【０００８】
上記課題を解決するため、請求項１に記載の本発明の遊技機は、遊技球が転動流下する遊技領域を備えた遊技盤が取り付けられ、外枠に対して開閉可能に取り付けられた本体枠と、前記本体枠の裏面に設けられ、接地電位とされた導電性部材と、突起部が裏面に形成され、前記本体枠の前面における遊技者が触接可能な位置に取り付けられた遊技部品とを有し、前記遊技部品は、前記突起部が前記本体枠を貫通して前記導電性部材に当接した状態で前記本体枠に取り付けられることを有することを特徴とする。
【０００９】
これにより、遊技部品を接地電位の導電性部材に当接させることにより静電気を逃がしていることから、あらためて本体枠にメッキ等による被覆を行わなくても遊技部品の帯電が防止されるので、本体枠の被覆行程とこれに伴うメッキ材料のコスト削減が図れる。したがって、製造コストの低減を図りつつ、効率よく除電を行うことが可能になる。
【００１０】
請求項２に記載の本発明は、請求項１記載の発明の構成に加えて、前記突起部は、当該突起部の突出方向に沿って延びてネジが螺合可能なネジ穴を備え、前記導電性部材は、前記ネジの胴部が貫通するとともに、前記ネジの頭部が貫通不能なネジ貫通孔を備え、前記遊技部品は、前記ネジの胴部を前記ネジ貫通孔を貫通させるとともに前記ネジ穴へ螺合することによって前記本体枠に取り付けられることを特徴とする。
【００１１】
これにより、突起部と導電性部材との接触面積がネジによって拡大するので、除電効果がより高まる。
【００１２】
請求項３に記載の本発明は、請求項１または２記載の発明の構成に加えて、前記導電性部材は、前記本体枠の少なくとも一辺に沿って設けられるとともに複数箇所で前記本体枠に固定された金属製板状体であることを特徴とする。
【００１３】
これにより、金属製板状体である導電性部材により本体枠が補強されるようになるので、本体枠の剛性が向上する。
【００１４】
請求項４に記載の本発明は、請求項１〜３の何れか一項に記載の発明の構成に加えて、前記遊技部品は、導電性材料によって被覆されていることを特徴とする。
【００１５】
これにより、遊技部品における静電気の帯電を、少量の導電性材料により効果的に防止することができる。
【発明の効果】
【００１６】
本発明によれば以下の効果を奏することができる。
【００１７】
すなわち、本発明によれば、製造コストの低減を図りつつ、効率よく除電を行うことが可能になる。
【発明を実施するための最良の形態】
【００１８】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００１９】
図１は本発明の一実施の形態である遊技機を示す斜視図、図２は図１に示した遊技機の正面図、図３は図１の遊技機の内部構造を示す正面図、図４は図１の遊技機の背面図、図５は図１の遊技機の側面図、図６は図１の遊技機のベースドアを示す背面図、図７は図１の遊技機のベースドアを示す側面図、図８は図１の遊技機におけるベースドアの背面側右下を示す斜視図、図９は図１の遊技機におけるベースドアの背面側右下を示す断面図である。
【００２０】
図１および図２に示すように、パチンコ遊技機（遊技機）１は、遊技盤２（図２）が装着されるベースドア（本体枠）３ａがヒンジ３７ａ，３７ｂ（図５）を介して島設備に固定されるベース枠（外枠）３ｂに対して開閉可能に取り付けられ（すなわち、ベースドア３ａは、ベースドア３ａの一方端を回動支点として支持されて当該ベース枠３ｂに開閉自在に支持されて装着される。）、これらベースドア３ａおよびベース枠３ｂで遊技機本体３が構成されている。
【００２１】
そして、このような遊技機本体３のベースドア３ａに対して、スピーカ８ａ，８ｂ（図３）、液晶表示装置（ＬＣＤ）２１、遊技盤２を視認可能に被うガラス扉９、上皿部４、下皿部５、カバー６およびハンドル７が備えられている。
【００２２】
遊技盤２は、図２に示すように、レール１１に包囲され、遊技球の流下が可能な遊技領域２ａを有している。そして、その遊技領域２ａには、多数の遊技くぎや風車などの障害物（図示せず）、一般入賞口１２、通過ゲート１３、大入賞口１５、アウト口１６、始動入賞口１４，１７を有する電動役物構成部材１８からなる遊技部材が配置されている。
【００２３】
ここで、一般入賞口１２は、遊技球が入賞すると所定の数の遊技球が払い戻される装置、通過ゲート１３は、遊技球が通過したことを契機として普通図柄表示領域に表示される複数の図柄を変動および停止させるための装置、始動入賞口１４，１７は、遊技球が入賞したことを条件として特別図柄表示領域に表示される特別図柄を変動および停止させるための装置、大入賞口１５は、特別図柄表示領域の停止時における特別図柄の組み合わせが予め設定された特定の図柄の組み合わせ（大当り表示態様）となって大当り遊技状態（大当り遊技状態とは、いわゆる大当りが発生した状態をいう。）に移行した場合に、所定の設定に従って所定条件の下所定回数だけ扉が開閉（すなわち、所定時間内に大入賞口１５の特定領域を通過する遊技球数が１以上である場合に限り（いわゆるパンクが発生しない限り）所定回数だけ大入賞口１５が開放し、遊技球を受け入れ易い開放状態と、受け入れ難い閉鎖状態とに所定回数だけ変化する。なお、開放状態と、閉鎖状態とに変化する動作をラウンド動作という。）するように制御される装置である。
【００２４】
また、アウト口１６は、一般入賞口１２、始動入賞口１４，１７、大入賞口１５の何れにも入賞しなかった遊技球が流入して回収される装置である。
【００２５】
通過ゲート１３は、通過する遊技球を検出するようになっている。この通過ゲート１３を通過した遊技球は通過記憶として記憶することが可能となっており、この通過記憶情報に基づいて、普通図柄表示領域における図柄の変動表示が行なわれる。また、遊技領域２ａの右側上部には、通過ゲート１３の通過記憶個数を表示する４個の普通図柄記憶ＬＥＤ（図示せず）が設けられている。この普通図柄記憶ＬＥＤの点灯個数により、通過ゲート１３を通過した遊技球の通過記憶個数を表示することができる。
【００２６】
普通図柄表示領域では、例えば２個の普通図柄が交互に点滅するようになっており、２個の普通図柄の点滅が終了して「当り」が表示された場合に、電動役物構成部材１８に設けられた始動入賞口１７が、所定時間だけ遊技球を受け入れ易い状態に切り換わる。
【００２７】
なお、上記普通図柄表示領域の替わりに、遊技盤２の任意の場所に２個の普通図柄表示ＬＥＤを備え、このＬＥＤの点滅により「当り」を表示してもよい。また、この２個の普通図柄表示ＬＥＤを例えば７セグメント表示器等により構成することもできる。この場合には、７セグメント表示器に表示する普通図柄として、例えば「０」、「１」、「２」、・・・「７」、「８」、「９」等の数字を変動表示し、停止表示された数字が「３」あるいは「７」となった場合を「当り」とする。
【００２８】
始動入賞口１７は、遊技球を受け入れる受け入れ口を有しており、遊技球を受け入れ易い状態と、遊技球を受け入れ難い状態との間で切換可能な開閉機構を備えた装置である。この始動入賞口１７は、通常の状態では遊技球を受け入れ難い状態となっており、所定の条件が成立した場合（例えば、普通図柄表示領域の普通図柄が、「当り」を意味する図柄で停止した場合）に、所定時間（例えば、０．３秒間）だけ開いて遊技球を受け入れ易い状態に切り換えられる。なお、当該受け入れ口に遊技球が入賞すると所定の数の遊技球が払い戻される。
【００２９】
また、始動入賞口１４，１７への入賞球は入賞記憶可能となっており、この入賞記憶に基づいて、特別図柄表示領域における特別図柄の変動表示が行なわれる。遊技領域２ａの中央部には、始動入賞口１４，１７への入賞記憶個数を表示する４個の特別図柄記憶ＬＥＤ（図示せず）が設けられている。この特別図柄記憶ＬＥＤの点灯個数により、始動入賞口１４，１７への入賞記憶個数を表示することができる。
【００３０】
また、特別図柄表示領域に表示される特別図柄は、例えば「０」、「１」、「２」・・・「９」等の３列の数字からなり、始動入賞口１７へ遊技球が入賞することを契機としてこれらの数字が変動表示されるようになっている。
【００３１】
なお、本実施の形態において、上述した入賞記憶個数や通過記憶個数は、それぞれ普通図柄記憶ＬＥＤ、特別図柄記憶ＬＥＤに表示されるようになっているが、これに限られず、他の表示方法により表示されてもよい。例えば、表示領域２１ａに表示されるようになっていてもよい。
【００３２】
また、遊技盤２の背面には、演出画像（例えば、遊技状態に対応したアニメーションやその他の報知情報など。以下、「演出情報画像」という。）等を表示可能な表示領域２１ａを備えた表示装置である液晶表示装置（ＬＣＤ）２１が配置されている。
【００３３】
なお、液晶表示装置２１の表示領域２１ａは、演出画像やその他の報知情報を表示する情報表示領域と、普通図柄の変動表示を行う普通図柄表示領域（普通図柄表示装置）と、特別図柄（識別図柄）の変動表示を行う特別図柄表示領域（特別図柄表示装置）とからなっている。
【００３４】
遊技盤２が透明である本実施の形態では、液晶表示装置２１の表示領域２１ａが遊技盤２を通して視認可能に配置されている。また、液晶表示装置２１にかえて、例えばＣＲＴ（陰極線管）あるいはプラズマディスプレイ等を用いることもできる。
【００３５】
また、図１および図２に示すように、ガラス扉９および上皿部４は一体化して形成されており、この一体化された開閉扉は、その一端がベースドア３ａに回動可能に軸支され、他端がベースドア３ａに係合するようになっている。なお、ガラス扉９は、可動可能に設けられた遊技盤２を視認可能に被うものである。
【００３６】
上皿部４はガラス扉９の下側に位置し、払い出された遊技球および遊技領域２ａに打ち込まれる遊技球が貯留される上皿４ａを有している。また、上皿４ａに面して、この上皿４ａへの遊技球の払出口４ｂが設けられている。上皿部４の所定の位置には、遊技終了時などにおいて上皿４ａに貯留された遊技球を後述する下皿５ａに移動させて取り出す場合に操作されるシャッタレバー８が設けられている。
【００３７】
上皿部４の下側に位置する下皿部５は、ベースドア３ａに固定されたプレート（遊技部品）５０を備えており、プレート５０の前面側に、払い出しにより上皿４ａからオーバーフローした遊技球が貯留される下皿５ａが取り付けられている。また、下皿５ａに面して、この下皿５ａへの遊技球の払出口５ｂが設けられている。さらに、下皿５ａの左側には、灰皿取付部５ｃが下皿５ａと一体形成されており、この灰皿取付部５ｃに灰皿１０が装着されている。
【００３８】
プレート５０と前述したガラス扉９とは全体が金属メッキによって被覆されており、帯電防止が図られている。ガラス扉９は、このガラス扉９の左端部上下の金属製のヒンジ（図示せず）に開閉可能に支持されており、このヒンジに接続されているアース線を介して接地されている。なお、プレート５０の帯電防止の機構については後述する。
【００３９】
図３に示すように、上皿４ａの払出口４ｂと下皿５ａの払出口５ｂとは払出通路部２３を介して連通しており、発射装置２２により発射されたが遊技領域２ａに進入できなかった遊技球、および上皿４ａからオーバーフローした遊技球がこの払出通路部２３により下皿５ａへと導かれる。
【００４０】
下皿５ａの右側に位置するハンドル７は前述したプレート５０に取り付けられて前方へ突出しており、レール１１（図２）を介して遊技盤２の遊技領域２ａへ遊技球を打ち込む際に回動操作される。すなわち、ハンドル７を回動することにより発射装置２２が動作し、これにより上皿４ａから発射装置２２に送り込まれた遊技球が遊技領域２ａに向けて弾発的に発射される。発射された遊技球は緩やかに湾曲したレール１１に案内されて弧を描くように上昇し、遊技領域２ａに送り込まれる。なお、ハンドル７あるいはその近傍には、遊技球の発射を停止させるストップボタン（図示せず）が設けられている。
【００４１】
ガラス扉９の上側に位置するカバー６はベースドア３ａに固定されており、カバー６の左右の部位６ａ，６ｂは、ベースドア３ａに設けられる左右のスピーカ８ａ，８ｂ（図３）にそれぞれ対応して、スピーカ８ａ，８ｂからの音声が聞こえるような構造になっている。
【００４２】
次に、図４を用いてベースドア３ａの背面側の構成について説明する。
【００４３】
図４は、ベースドア３ａの背面側および基板ケースカバー３５を示す背面図である。
【００４４】
図４のベースドア３ａ背面側において、向かって右側がヒンジを介してベース枠３ｂに回動可能に支持されて装着されている側であり、左側が開閉端側である。なお、遊技機内部が開放される場合は、開閉端側から開放される。
【００４５】
同図に示すように、ベースドア３ａの背面には、遊技機１の動作を実現するためのさまざまな電子部品や電子部品等を実装した基板等が搭載されている。
【００４６】
例えば、ベースドア３ａの背面中央には、主制御基板（図示せず）を保持する主制御基板ケース３１が、ベースドア３ａの背面の中央よりやや上右側には枠中継基板を搭載する枠中継基板ケース（図示せず）が、ベースドア３ａの背面の中央よりやや下左側には電源基板（図示せず）を保持する電源基板ケース３２が、そして、ベースドア３ａの背面の中央よりやや下右側には、払出制御基板を保持する払出基板ケース（図示せず）がそれぞれ搭載されている。
【００４７】
ここで、主制御基板は、パチンコ機１の遊技の進行を制御する主制御回路が搭載された基板である。枠中継基板は、ＡＣ電源の取り込みや基板間の信号の中継を行う基板である。電源基板は、各電子部品が動作するために必要な電圧の電源を生成する基板である。また、払出制御基板は、賞球や貸球等を下皿部５に向けて払出す払出装置（図示せず）を駆動制御する基板である。
【００４８】
なお、ベースドア３ａの背面の上部には遊技球が貯留される貯留タンク３３が配置されている。さらに、ベースドア３ａの背面の各所には、電子部品を搭載した基板間を電気的に接続する配線（図示せず）が伸びている。
【００４９】
そして、ベースドア３ａの背面の中央よりやや上左側、すなわち主制御基板ケース３１の上方には、副制御基板ケース３４が搭載されている。副制御基板ケース３４には、主制御基板の主制御回路から受ける制御信号に基づいて所定の制御を実行する副制御回路が搭載された副制御基板（図示せず）が格納されている。
【００５０】
なお、本実施の形態においては、副制御基板により、液晶表示装置２１の表示領域２１ａの画像表示制御や、遊技機１の各所に配置されているランプ・ＬＥＤ（図示せず）等の発光表示制御、スピーカ８ａ，８ｂからの音出力制御が行われる。
【００５１】
そして、副制御基板ケース３４の図面左側および電源基板ケース３２の図面左側には、基板ケースカバー３５が回動可能に軸支される軸部３０ａ，３０ｂがそれぞれ設けられている。すなわち、基板ケースカバー３５は、この軸部３０ａ，３０ｂに軸支されることによりベースドア３ａ背面側に開閉可能に取り付けられている。これにより、副制御基板ケース３４、主制御基板ケース３１、枠中継基板ケース、電源基板ケース３２、払出制御基板ケース等の基板ケースが、当該基板ケースカバー３５に覆われて保護される。
【００５２】
なお、基板ケースカバー３５の開閉端側には、基板ケースカバー３５の回動を防止する固定部３６。この固定部３６にはネジ孔が形成されており、ネジ等でベースドア３ａの背面側に固定されて取り付けられている。
【００５３】
そして、図５に示すように、以上の構成を有するベースドア３ａがベース枠３ｂにヒンジ３７ａ，３７ｂを介して開閉可能にはめ込まれている。
【００５４】
ベースドア３ａを抽出して示す図６および図７において、ベースドア３ａの裏面には、このベースドア３ａを背面側から見て右側の辺に沿って、金属製の板状体からなる導電性部材５１が上下方向に延びて取り付けられている。
【００５５】
この導電性部材５１はアース線を介して接地電位とされており、複数箇所（本実施の形態では、上部、下部および中央部の３箇所）でベースドア３ａにネジ止めにより固定されている。
【００５６】
すなわち、図８に示す下部のネジ止め構造については、次のようになっている。なお、本実施の形態において、上部および中央部のネジ止め構造についても、下部と同一となっている。
【００５７】
図９に示すように、ベースドア３ａの裏面にはボス（突起部）３ａ−１が形成されている。このボス３ａ−１には、ネジ５２が螺合可能なネジ穴３ａ−１ａがその突出方向に沿って延びている。また、導電性部材５１のボス３ａ−１に対応する箇所には、ネジ５２の胴部５２ａが貫通可能で、ネジ５２の頭部５２ｂが貫通不能な内径のネジ貫通孔５１ａが形成されている。これにより、ネジ５２の胴部５２ａを導電性部材５１のネジ貫通孔５１ａに貫通させてこれをベースドア３ａのネジ穴３ａ−１ａへ螺合させることにより、導電性部材５１がベースドア３ａに取り付けられる。
【００５８】
ここで、前述したプレート５０の裏面には、図９に示すように、ボス（突起部）５０−１が形成され、その下方にはボス５０−１よりも短いボス（突起部）５０−２が形成されている。これらのボス５０−１，５０−２には、ネジ５２が螺合可能なネジ穴５０−１ａ，５０−２ａが、その突出方向に沿って延びて形成されている。
【００５９】
導電性部材５１とベースドア３ａとが重なり合うボス５０−１の位置では、導電性部材５１の下端部がボス５０−１の先端に当接するように屈曲されており、ベースドア３ａがこのような導電性部材５１の屈曲形状に沿った段差を形成している。そして、導電性部材５１のボス５０−１に対応する箇所には、ネジ５２の胴部５２ａが貫通可能で、ネジ５２の頭部５２ｂが貫通不能な内径のネジ貫通孔５１ａが形成されている。また、ベースドア３ａのボス５０−１に対応する箇所には、ボス５０−１の外径よりもやや大きな内径のネジ貫通孔３ａａが形成されている。さらに、図示するように、ボス５０−１はベースドア３ａのネジ貫通孔３ａａを貫通して導電性部材５１に当接する長さになっている。
【００６０】
したがって、ネジ５２の胴部５２ａを導電性部材５１のネジ貫通孔５１ａに貫通させてこれをプレート５０のネジ穴５０−１ａへ螺合させると、導電性部材５１が、ベースドア３ａのネジ穴３ａａを貫通したボス５０−１の先端に当接した状態でベースドア３ａに取り付けられる。
【００６１】
前述のように、金属製板状体の導電性部材５１は接地電位とされているので、プレート５０に形成されたボス５０−１が導電性部材５１に当接することにより、プレート５０もまた接地電位となる。これにより、プレート５０には静電気は蓄積されなくなるので、あらためてベースドア３ａにメッキ等による被覆を行わなくてもプレート５０の帯電が防止される。したがって、ベースドア３ａをメッキ等するための被覆行程とこれに伴うメッキ材料のコスト削減が図れるので、遊技機の製造コストの低減を図りつつ、効率よく除電を行うことが可能になる。
【００６２】
また、プレート５０のボス５０−１と導電性部材５１とをネジ５２を用いて固定しているので、両者の接触面積がネジ５２によって拡大することになり、除電効果がより高まる。但し、ネジ５２を用いず、導電性部材５１がプレート５０のボス５０−１に圧接するようにしてもよい。
【００６３】
一方、導電性部材５１が延在していないボス５０−２の位置では、ベースドア３ａのボス５０−２に対応する箇所に、ネジ５２の胴部５２ａが貫通可能で、ネジ５２の頭部５２ｂが貫通不能な内径のネジ貫通孔３ａｂが形成されている。そして、図示するように、ボス５０−２はベースドア３ａに当接する長さとなっている。
【００６４】
したがって、ネジ５２の胴部５２ａをベースドア３ａのネジ貫通孔３ａｂに貫通させてこれをプレート５０のネジ穴５０−２ａへ螺合させると、ベースドア３ａとボス５０−２の先端とが当接した状態でプレート５０がベースドア３ａに固定される。なお、プレート５０をベースドア３ａに固定するためのネジ５２が螺合されるボス５０−２は、図９に示す他にも、複数箇所に形成されている。
【００６５】
このように、本実施の形態の遊技機によれば、プレート５０を接地電位の導電性部材５１に当接させることにより静電気を逃がしていることから、あらためてベースドア３ａにメッキ等による被覆を行わなくてもプレート５０の帯電が防止される。したがって、ベースドア３ａのメッキ被覆行程とこれに伴うメッキ材料のコスト削減が図れ、製造コストの低減を図りつつ、効率よく除電を行うことが可能になる。
【００６６】
なお、以上の説明では、導電性部材５１として金属製板状体を用い、これをベースドア３ａを背面側から見て右側の辺に沿って上下方向に延びて取り付け、複数箇所でベースドア３ａにネジ固定しているが、取付箇所は、これ以外の辺であってもよく、複数の辺に跨っていてもよく、さらには枠状に形成して四辺全てに取り付けられていてもよい。
【００６７】
また、固定箇所は１箇所でもよいが、本実施の形態のように複数箇所にすれば、金属製板状体である導電性部材５１によりベースドア３ａが補強されるようになるので、ベースドア３ａの剛性が向上することとなる。
【００６８】
さらに、導電性部材５１としては金属製板状体である必要はなく、文字通り導電性を有する部材であれば、様々なものを適用することができる。
【００６９】
また、以上の説明では、プレート５０は金属メッキにより被覆されているが、必ずしもメッキを施す必要はない。但し、本実施の形態のようにプレート５０にメッキ等の導電性材料を被覆すれば、プレート５０における静電気の帯電を、少量の導電性材料により効果的に防止することができる。
【００７０】
また、プレート５０をカーボン等の導電性部材を混入した樹脂により成形しても、効果的に除電を行うことが可能になる。
【００７１】
さらに、以上の説明では、遊技部品としてプレート５０が示されているが、遊技部品はプレート５０に限定されるものではない。すなわち、ベースドア３ａの前面における遊技者が触接可能な位置に取り付けられている様々なものが本発明の遊技部品として適用可能である。
【産業上の利用可能性】
【００７２】
以上の説明においては、本発明をパチンコ遊技機を適用した場合が説明されているが、本発明はパチンコ遊技機に限定されるものではなく、たとえばスマートボールや雀球など遊技媒体として遊技球が用いられる様々な遊技機に適用することが可能である。
【図面の簡単な説明】
【００７３】
【図１】本発明の一実施の形態である遊技機を示す斜視図である。
【図２】図１に示した遊技機の正面図である。
【図３】図１の遊技機の内部構造を示す正面図である。
【図４】図１の遊技機の背面図である。
【図５】図１の遊技機の側面図である。
【図６】図１の遊技機のベースドアを示す背面図である。
【図７】図１の遊技機のベースドアを示す側面図である。
【図８】図１の遊技機におけるベースドアの背面側右下を示す斜視図である。
【図９】図１の遊技機におけるベースドアの背面側右下を示す断面図である。
【符号の説明】
【００７４】
１  パチンコ遊技機（遊技機）
２  遊技盤
２ａ  遊技領域
３  遊技機本体
３ａ  ベースドア（本体枠）
３ａ−１  ボス（突起部）
３ａ−１ａ  ネジ穴
３ａａ  ネジ穴
３ａａ  ネジ貫通孔
３ａｂ  ネジ貫通孔
３ｂ  ベース枠（外枠）
５０  プレート（遊技部品）
５０−１，５０−２  ボス（突起部）
５０−１ａ，５０−２ａ  ネジ穴
５１  導電性部材
５１ａ  ネジ貫通孔
５２  ネジ
５２ａ  胴部
５２ｂ  頭部
【図１】
2007319300.tif 000003
【図２】
2007319300.tif 000004
【図３】
2007319300.tif 000005
【図４】
2007319300.tif 000006
【図５】
2007319300.tif 000007
【図６】
2007319300.tif 000008
【図７】
2007319300.tif 000009
【図８】
2007319300.tif 000010
【図９】
2007319300.tif 000011